(57)【要約】【課題】適切な着圧を維持しつつ、着用者への食い込みを緩和することが可能であり、且つ、衣類のずれを軽減することが可能な衣類の端部構造を提供する。【解決手段】衣類本体が所定の着用状態で保持されるように、着用時に引き伸ばされることによって肌に密着するように形成された端部構造１０において、本体部２０と、本体部に対して予め設定された間隔ごとに弾性糸を編み込んで形成された強パワー部３０とを備える構成とする。強パワー部３０は、本体部の幅方向の一方側へ傾斜するように形成された第１の傾斜部３１と、幅方向の他方側へ傾斜するように形成された第２の傾斜部３２とが交互に、且つ連続的に形成された部分を少なくも一部に有する。着用状態において幅方向にずれようとする外力が作用しても、第１または第２の傾斜部のいずれか一方では外力が打ち消されて低減される。【選択図】図３
2013234398.tif 000002
【特許請求の範囲】
【請求項１】
衣類本体が所定の着用状態で保持されるように、着用時に引き伸ばされることによって肌に密着するように形成された端部構造であって、
前記端部構造を形成する本体部と、
前記本体部に対して予め設定された間隔ごとに弾性糸を編み込んで形成された強パワー部と、
を備え、
前記強パワー部は、前記本体部の幅方向の一方側へ傾斜するように形成された第１の傾斜部と、前記幅方向の他方側へ傾斜するように形成された第２の傾斜部とが交互に、且つ連続的に形成された部分を少なくも一部に有している、
衣類の端部構造。
【請求項２】
複数の前記強パワー部にそれぞれ形成される前記第１の傾斜部は、幅方向の位置が揃うように形成され、前記第２の傾斜部も幅方向の位置が揃うように形成されている、
請求項１に記載の衣類の端部構造。
【請求項３】
前記強パワー部には、前記第１の傾斜部と前記第２の傾斜部との間に長手方向に延在する直線部が形成されている、
請求項１に記載の衣類の端部構造。
【請求項４】
前記強パワー部には、前記第１の傾斜部と前記第２の傾斜部との間に前記幅方向の外側に凸である湾曲部が形成されている、
請求項１に記載の衣類の端部構造。
【請求項５】
請求項１から４のいずれか１項に記載の衣類の端部構造をウエスト端部構造として備えたボトム衣類。
【請求項６】
請求項１から４のいずれか１項に記載の衣類の端部構造を備えたカップ付き衣類であって、
バストを覆うように形成された左右一対のカップ部と、
前記カップ部を支持するカップ支持部と、
前記カップ部の脇側縁部またはカップ支持部の少なくとも一方に連結された左右一対の脇部と、を備え、
前記端部構造は、前記脇部の上辺及び下辺、または、カップ支持部の下辺のいずれか１つに配置されている、
カップ付き衣類。
【請求項７】
衣類本体が所定の着用状態で保持されるように、着用時に引き伸ばされることによって肌に密着するように形成された衣類のウエスト部分の構造であって、
前記ウエスト部分の構造を形成する本体部と、
前記本体部に対して予め設定された間隔ごとに弾性糸を編み込んで形成された強パワー部と、
を備え、
前記強パワー部は、前記本体部の幅方向の一方側へ傾斜するように形成された第１の傾斜部と、前記幅方向の他方側へ傾斜するように形成された第２の傾斜部とが交互に、且つ連続的に形成された部分を少なくも一部に有している、
衣類のウエスト部分の構造。
【発明の詳細な説明】
【技術分野】
【０００１】
本発明は、衣類の端部構造、ボトム衣類、カップ付き衣類、及び衣類のウエスト部分の構造に関する。
【背景技術】
【０００２】
このような分野の技術として、腰回りのうち、左右の脇部分のみに、他の部位よりも伸度が高い高伸縮の布材が設けられたガードル（ボトム衣類）が知られている（例えば特許文献１参照）。これにより、本体身頃の生地の着用者への食い込みを低減している。
【０００３】
また、特許文献２には、左右の両脇部分に、他の部位よりも伸度が低い低伸縮の布材が設けられたガードルが開示されている。これにより、着用者のウエストラインを補整すると共に、着用感の向上を狙っている。
【先行技術文献】
【特許文献】
【０００４】
【特許文献１】実開平７−６２１３号公報
【特許文献２】実用新案登録第３１２３５５２号明細書
【発明の概要】
【発明が解決しようとする課題】
【０００５】
通常、ボトム衣類のウエスト側の上端部分（端部構造）は、臍近傍の胴回りを通るように設計されている。この臍近傍の胴回りの部位は、骨盤上端と肋骨との間の部位に相当し、骨盤周りや肋骨周りと比較すると衣類が食い込み易い。このため、従来のボトム衣類では、端部の食い込みによって肉の盛り上がり部分が、左右両脇や腹部周りに形成され易く、着用状態のシルエットをきれいに見せることが難しかった。
【０００６】
例えば、補整機能を備えたボトム衣類では、補整機能がないボトム衣類よりも着圧が大きいため、端部の食い込みが発生し易い。
【０００７】
また、ブラジャー（カップ付き衣類）では、カップ部から着用者の脇側へ連続する土台部や、バック部の上下辺に用いられるゴム始末から成る端部構造が、上記のボトム衣類の端部構造と同様に、着用状態において食い込みやすい。同様に、その他の衣類の端部においても、食い込みが生じることがある。このように食い込みが生じると、着用状態のシルエットをきれい見せることが難しかった。
【０００８】
また、ボトム衣類、カップ付き衣類、及び補正機能を有する衣類など、着用者の肌に密着する衣類においては、着用者の動きに伴って、衣類がずれてしまうことがあった。
【０００９】
本発明は、このような課題を解決するために成されたものであり、適切な着圧を維持しつつ、着用者への食い込みを緩和することが可能であり、且つ、衣類のずれを軽減することが可能な衣類の端部構造、ボトム衣類、カップ付き衣類、及び衣類のウエスト部分の構造を提供することを目的とする。
【課題を解決するための手段】
【００１０】
本発明は、衣類本体が所定の着用状態で保持されるように、着用時に引き伸ばされることによって肌に密着するように形成された端部構造であって、端部構造を形成する本体部と、本体部に対して予め設定された間隔ごとに弾性糸を編み込んで形成された強パワー部と、を備え、強パワー部は、本体部の幅方向の一方側へ傾斜するように形成された第１の傾斜部と、幅方向の他方側へ傾斜するように形成された第２の傾斜部とが交互に、且つ、連続的に形成された部分を少なくとも一部に有している衣類の端部構造を提供する。
【００１１】
このような本発明に係る衣類の端部構造によれば、本体部と比較して弾性糸が多く編み込まれている強パワー部が、本体部の長手方向に対して傾斜する第１の傾斜部及び第２の傾斜部を備えている。このため、本体部が長手方向に沿って引き伸ばされると、第１の傾斜部には一方側から他方側へ向かおうとする復元力が生じ、第２の傾斜部には他方側から一方側に向かおうとする復元力が生じる。従って、着用状態において幅方向にずれようとする外力が作用しても、上記の復元力によって第１または第２の傾斜部のいずれか一方では外力が打ち消されて低減される。この結果、着用者の肌に密着する端部構造を着用者の動作に伴ってずれ難いものとし、着崩れを抑制することができる。
【００１２】
衣類の端部構造において、複数の強パワー部にそれぞれ設けられている第１の傾斜部は幅方向の位置が揃うように形成され、第２の傾斜部も幅方向の位置が揃うように形成されていることが好ましい。この構成の衣類の端部構造によれば、幅方向に予め設定された間隔ごとに設けられている強パワー部の第1の傾斜部は幅方向の位置が揃うように形成されている。また、異なる強パワー部にそれぞれ形成されている第２の傾斜部も第１の傾斜部と同様に幅方向の位置が揃うように形成されている。
【００１３】
これにより、着用者の肌に密着する端部構造を着用者の動作に伴ってよりずれ難いものとし、着崩れを抑制することができる。
【発明の効果】
【００１４】
本発明によれば、適切な着圧を維持しつつ、着用者への食い込みを緩和することが可能であり、且つ、衣類のずれを軽減することが可能な衣類の端部構造、ボトム衣類、カップ付き衣類、及び衣類のウエスト部分の構造を提供することができる。
【図面の簡単な説明】
【００１５】
【図１】本発明の第１実施形態に係る端部構造を備えたボトム衣類の着用状態を示す背面図である。
【図２】図１に示すボトム衣類の端部構造を示す側面図である。
【図３】本発明の第１実施形態に係る端部構造の強パワー部及び高伸縮部の配置を示す拡大図である。
【図４】本発明の第１実施形態に係る端部構造の強パワー部の挿入組織を示す組織図である。
【図５】本発明の第２実施形態に係る端部構造の強パワー部及び高伸縮部の配置を示す拡大図である。
【図６】本発明の第２実施形態に係る端部構造の強パワー部の挿入組織を示す組織図である。
【図７】本発明の第３実施形態に係る端部構造の強パワー部及び高伸縮部の配置を示す拡大図である。
【図８】本発明の第４実施形態に係る端部構造の強パワー部及び高伸縮部の配置を示す拡大図である。
【図９】本発明の第５実施形態に係るガードルを正面側から示す斜視図である。
【図１０】本発明の第５実施形態に係るガードルを背面側から示す斜視図である。
【図１１】本発明の第６実施形態に係るカップ付き衣類を示す斜視図である。
【図１２】本発明の第７実施形態に係るウエストニッパーの正面図である。
【図１３】地組織の一例を示す組織図である。
【図１４】本発明の実施形態に係る端部構造の強パワー部の挿入組織の変形例を示す組織図である。
【発明を実施するための形態】
【００１６】
以下、添付図面を参照して、本発明の好適な実施形態について詳細に説明する。なお、「上」、「下」、「右」、「左」等の方向を示す語は、図面に示される状態に基づいており、便宜的なものである。
【００１７】
まず、本発明の第１実施形態に係る衣類の端部構造１０について説明する。図１及び図２に示すように、本実施形態に係る衣類の端部構造１０は、例えば、スパッツなどのボトム衣類２００のウエスト側の裾部分を形成する。なお、ボトム衣類としては、レギンス、ガードル、スパッツ、スポーツ用タイツ、パンツ、水着などのボトム衣類が挙げられる。「衣類の端部構造１０」を「端部構造１０」と記載することもある。
【００１８】
ボトム衣類２００は、着用者１００の下半身の少なくとも一部を覆うように形成された本体生地２０１（衣類本体）を備えている。端部構造１０は、本体生地２０１の端部に形成されている。端部構造１０は、着用者１００のウエスト（腰部）を挿通させる上端部２００ａの開口部の周縁を形成している。
【００１９】
端部構造１０は、長手方向（図示Ｌ１方向）に交差する方向である幅方向（図示Ｗ方向）に所定の長さを有する帯状に形成されている。本実施形態の端部構造１０の幅方向Ｗにおける長さは、締付力が作用していない平置き状態において、例えば、５から１５ｍｍ程度である。なお、仕様に応じてさらに幅方向Ｗの長さを長く設定してもよい。
【００２０】
本体生地２０１は、着用者１００の下半身の正面側を覆う前身頃、及び下半身の背面側を覆う後身頃を有する。本体生地２０１は、伸縮性を有する素材によって構成されている。また、本体生地２０１は、着用状態において、着用者に密着して使用されるものでもよく、着用者に密着しないものでもよい。
【００２１】
端部構造１０は、本体生地（衣類本体）が所定の状態で保持されるように、着用時に引き伸ばされることによって肌に密着するように形成された、いわゆるウエスト上辺部分を形成している（ウエスト始末とも表現できる）。端部構造１０は、伸縮性を有する地組織２０（本体部）と、地組織２０内に予め設定された間隔ごとに形成された強パワー部３０とを備えている（図３参照）。
【００２２】
強パワー部３０は、開口部の周方向Ｌに連続し、開口部の軸線方向Ｗに離間して、複数設けられている。図３は、第１実施形態に係る端部構造の地組織２０及び強パワー部３０の配置を示す拡大図である。端部構造１０は、地組織２０内に４コースごとに強パワー部３０を並べて形成している。すなわち、強パワー部３０は、ボトム衣類２０の上下方向において、等間隔に配置されている。このように着用状態における締め付け力の大きい強パワー部３０を予め設定した間隔ごとに配置することで着圧の分散を図り、着用状態における端部構造の食い込みを軽減するという効果もある。なお、本例では、強パワー部３０は、開口部の全周（端部構造の全長）に渡って形成されているが、本発明はこれに限定されるものではない。例えば、開口部の周方向の一部に形成されているものでもよい。
【００２３】
強パワー部３０は、図示右方向へ（周方向Ｌの一方側へ）向かうにつれて、上方（軸線方向Ｗの一方側）へ傾斜するように配置された第１の傾斜部３１と、下方（軸線方向Ｗの他方側）へ傾斜するように配置された第２の傾斜部３２とが交互に全周に亘って形成されており、波状を呈している。
【００２４】
ここで、図１３は、地組織２０の一例を示すものである。図１３中、符号２０Ａで示す編み組織はジャガードの基本組織であり、符号２０Ｂで示す編み組織は、生地構成の基本を成す組織であり、共に非弾性糸によって形成されている。また、符号２０Ｃで示す編み組織は、直径の太い、いわゆるハイパワーの弾性糸からなる挿入組織であり、符号２０Ｄで示す編み組織は、直径の細い、いわゆるソフトパワーの弾性糸からなる挿入組織を示すものである。強パワー部３０は、地組織２０に挿入組織をさらに編み込むことによって形成されている。すなわち、地組織２０は、上記挿入組織が編み込まれていない領域とも表現できる。
【００２５】
符号２０Ａで示す組織の１繰り返し単位は、／１０、０１、１０、１２、２１、１２／／である。符号２０Ｂで示す組織の１繰り返し単位は、／１２、１０、１２、２１、２３、２１／／である。符号２０Ｃで示す組織の１繰り返し単位は、／２２、００、２２、１１、３３、１１／／である。符号２０Ｄで示す組織の１繰り返し単位は、／１１、００、２２、１１、２２、００／／である。
【００２６】
端部構造１０が形成された本体編地（本体生地２０１）は、例えばラッセル機などのたて編み機（不図示）によって編成することができる。地組織２０は、本体編地の基礎となるものであり、本体編地の全域にわたって存在している。地組織２０としては、例えば、デンビー編み、アトラス編みなどが挙げられる。地組織２０の編目は、閉じ目でもよく、開き目でもよい。
【００２７】
図４は、第１実施形態に係る端部構造の強パワー部３０の挿入組織を示す組織図である。図４の組織図では、黒点が各コースのニードルヘッドの位置を表しており、黒点同士の緯方向に並んだ黒点の列が一つのコースを表しており、糸が矢印Ｙ方向に供給されるときに、各コースにおいてどのような編み方をされるかを示している。
【００２８】
強パワー部３０は、地組織２０に複数の挿入糸４１を編み込んで編成されている。挿入糸４１は、例えば、同一ニードル上で６コース分挿入された後に、左側に１ウェール分移行する。これを４回繰り返して第１の傾斜部３１を形成する。また、同一ニードル上で６コース分挿入された後に、右側に１ウェール分移行する。これを４回繰り返して第２の傾斜部３２を形成する。強パワー部３０の挿入組織を編成する際の筬の動きは、この場合には第１の傾斜部３１は、／１１、００、１１、００、１１、００／２２、１１、２２、１１、２２、１１／３３、２２、３３、２２、３３、２２／４４、３３、４４、３３、４４、３３／と表現でき、第２の傾斜部３２は、／３３、４４、３３、４４、３３、４４／２２、３３、２２、３３、２２、３３／１１、２２、１１、２２、１１、２２／００、１１、００、１１、００、１１／と表現することができる。そして、１繰り返し単位では、／１１、００、１１、００、１１、００／２２、１１、２２、１１、２２、１１／３３、２２、３３、２２、３３、２２／４４、３３、４４、３３、４４、３３／  〜  ／３３、４４、３３、４４、３３、４４／２２、３３、２２、３３、２２、３３／１１、２２、１１、２２、１１、２２／００、１１、００、１１、００、１１／  〜  ／／と表現できる。ここで、上記１繰り返し単位の中で、「  〜  」で表記する部分は直線状に挿入される挿入組織とし、挿入組織のコース数は特に制限されないため、例えば、第１の傾斜部３１、第２の傾斜部３２よりもコース数を多く設定してもよいが、第１の傾斜部３１、第２の傾斜部３２と同程度または少なくなるようにコース数を設定することが好ましい。また、編地の仕様によっては上記直線状の挿入組織部分を設けない構成としてもよい。強パワー部３０の仕様に応じて適宜設定すればよい。また、仕様に応じて、「  〜  」部分の挿入組織を省略する構成としてもてもよい。また、強パワー部３０の仕様に応じて、第１の傾斜部３１及び第２の傾斜部３２を異なるコース数ずつ挿入糸４１を編み込んで形成するようにしてもよい。この場合には、強パワー部３０を波状成しつつ全体としては直線状を呈するように形成するだけでなく、例えば、強パワー部３０を波状に形成しつつ、全体としては上下方向に湾曲するように形成することもできる。
【００２９】
本実施形態では、地組織２０に挿入糸４１を編み込む例を挙げているが、本発明は、これに限定されるものではない。例えば、図１４に示すような地組織２０にポリウレタン等の挿入組織２０Ｘをさらに設ける場合には、挿入糸４１に代えて、挿入糸４１Ｘ〜４１Ｚのような挿入方法によって強パワー部３０を形成することも考えられる。挿入糸４１Ｘ〜４１Ｚは、地組織２０の挿入組織２０Ｘと同じ糸の振り方で編成しつつ、少しずつウェール方向にシフトするように編成されている。このため、強パワー部３０と地組織２０の馴染みが良好なものとなり、強パワー部３０が外観上目立ち難くなるという利点がある。
【００３０】
ここで、挿入組織２０Ｘ、挿入糸４１Ｘ〜４１Ｚの繰り返し単位当たりの筬の動きを説明する。
【００３１】
挿入組織２０Ｘは、１繰り返し単位が／２２、１１、３３、１１、２２、００／／となる組織である。
【００３２】
挿入糸４１Ｘは、１繰り返し単位が／５５、４４、６６、４４、５５、３３  ／４４、３３、５５、３３、４４、２２  ／３３、２２、４４、２２、３３、１１  ／２２、１１、３３、１１、２２、００／  〜  ／００、２２、１１、３３、１１、２２／１１、３３、２２、４４、２２、３３、／２２、４４、３３、５５、３３、４４／３３、５５、４４、６６、４４、５５／  〜  ／／となる組織である。また、挿入糸４１Ｙは、１繰り返し単位が／６６、４４、７７、４４、６６、３３  ／５５、３３、６６、３３、５５、２２  ／４４、２２、５５、２２、４４、１１  ／３３、１１、４４、１１、３３、００／  〜  ／００、３３、１１、４４、１１、３３／１１、４４、２２、５５、２２、４４／２２、５５、３３、６６、３３、５５／３３、６６、４４、７７、４４、６６／  〜  ／／となる組織である。挿入糸４１Ｚは１繰り返し単位が／７７、４４、８８、４４、７７、３３  ／６６、３３、７７、３３、６６、２２、／５５、２２、６６、２２、５５、１１  ／４４、１１，５５、１１、４４、００／  〜  ／００、４４、１１、５５、１１、４４、／１１、５５、２２、６６、２２、５５／２２、６６、３３、７７、３３、６６／３３、７７、４４、８８、４４、７７／  〜  ／／となる組織である。なお、上記挿入糸４１Ｘ〜４１Ｚの１繰り返し単位の表記の中で「  〜  」で示す部分は、直線状に挿入された任意の挿入組織を編み込む部分を示している。ここで、上記１繰り返し単位の中で、「  〜  」で表記する部分は、直線状に編み込まれる部分であり、編み込まれるコース数が第１の傾斜部３１及び第２の傾斜部３２よりも多少多くなるように設定してもよいが、第１の傾斜部３１及び第２の傾斜部３２それぞれのコース数と同等か、または少なくなるように設定することが好適である。
【００３３】
なお、図１４では、図示の簡単のため挿入糸４１Ｘ〜４１Ｚの１繰り返し単位当たりの編成組織の一部を省略して示している。
【００３４】
強パワー部３０には、挿入糸４１として、ポリウレタンの弾性糸が挿入されている。挿入糸としては、その他ポリウレタン弾性糸に非弾性糸をカバーリングした糸、熱溶着性を有する弾性糸等を使用することができる。
【００３５】
本実施形態では、挿入組織として例えば互いに隣接する８コースに弾性糸が挿入されて、強パワー部３０が形成され、その強パワー部３０の左右両隣にそれぞれ隣接する４コースには挿入糸が挿入されず地組織２０が形成されている。なお、強パワー部３０は、８コース連続して弾性糸が挿入されているものに限定されない。また、強パワー部の間隔も４コースに限定されず、編地に要求される仕様に応じて適宜間隔を調整しても良い。
【００３６】
本体編地は、図示されていない柄糸、弾性糸などを備えている構成でもよい。
【００３７】
次に、本実施形態に係る衣類の端部構造の作用について説明する。ボトム衣類２００の着用状態において、端部構造１０には、周方向の引っ張り力が生じている。端部構造１０は、長手（周）方向に引っ張られた状態となる。このとき、強パワー部３０は、コース方向、すなわち長手方向に対して傾斜しているため、上下方向に復元力が作用する。ここで、図３を用いてより具体的に説明すると以下の通りである。
【００３８】
図３では、点Ｐ１〜Ｐ３に作用する力の方向を矢印で示している。点Ｐ１〜Ｐ３は、強パワー部３０の幅方向の中央の点である。点Ｐ１は、第１の傾斜部３１の左側の端部の点である。点Ｐ２は、第１の傾斜部３１の右側の端部の点であると共に、第２の傾斜部３２の左側の端部の点である。点Ｐ３は、第２の傾斜部３２の右側の端部の点である。
【００３９】
点Ｐ１には、第２の傾斜部３２によって、左斜め上方への力Ｆ０が作用している。力Ｆ０を上下方向と周方向に分解すると、点Ｐ１には、上方への力Ｆ０１と、左方向への力Ｆ０２が作用しているとも表現することができる。
【００４０】
点Ｐ１には、第１の傾斜部３１によって、右斜め上方への力Ｆ１が作用している。力Ｆ１を上下方向と周方向に分解すると、点Ｐ１には、上方への力Ｆ１１と、右方向への力Ｆ１２が作用しているとも表現することができる。
【００４１】
点Ｐ２には、第１の傾斜部３１によって、左斜め下方への力Ｆ２が作用している。力Ｆ２を上下方向と周方向に分解すると、点Ｐ２には、下方への力Ｆ２１と、左方向への力Ｆ２２が作用しているとも表現することができる。
【００４２】
点Ｐ２には、第２の傾斜部３２によって、右斜め下方への力Ｆ３が作用している。力Ｆ３を上下方向と周方向に分解すると、点Ｐ２には、下方への力Ｆ３１と、右方向への力Ｆ３２が作用しているとも表現することができる。
【００４３】
点Ｐ３には、第２の傾斜部３２によって、左斜め上方への力Ｆ４が作用している。力Ｆ４を上下方向と周方向に分解すると、点Ｐ３には、上方への力Ｆ４１と、左方向への力Ｆ４２が作用しているとも表現することができる。
【００４４】
点Ｐ３には、第１の傾斜部３１によって、右斜め上方への力Ｆ５が作用している。力Ｆ５を上下方向と周方向に分解すると、点Ｐ３には、上方への力Ｆ５１と、右方向への力Ｆ５２が作用しているとも表現することができる。
【００４５】
本実施形態の衣類の端部構造１０によれば、相対的に大きな復元力を生じる強パワー部３０が、周方向（端部構造１０の長手方向）に対して傾斜する第１の傾斜部３１及び第２の傾斜部３２を備えている。このため、端部構造１０の周方向に沿って引っ張り力が作用すると、周方向の異なる位置（点Ｐ１〜Ｐ３）において、上方（幅方向の一方側）へ向く力と、下方（幅方向の他方側）へ向く力とがそれぞれ作用する。これにより、端部構造１０のずり上がり、及びずり下がりを抑制し、ボトム衣類２００のずれを軽減することができる。
【００４６】
また、衣類の端部構造１０によれば、長手方向に対して、複数の強パワー部３０の第１の傾斜部３１の幅方向における位置が揃うように形成され、第２の傾斜部３２の幅方向の位置も揃うように形成されている。これにより、着用状態において第１の傾斜部３１及び第２の傾斜部３２が上下方向にそれぞれ作用させる復元力を大きなものとしている。これにより、着崩れ難くしている。
【００４７】
この結果、本実施形態の衣類の端部構造１０は、従来の衣類の端部構造よりも緩やかな締め付け力で着崩れを抑制することができる。
【００４８】
なお、本実施形態では、第１の傾斜部３１と第２の傾斜部３２が同じ長さに形成される（すなわち、同じコース数ずつ編み込まれる）例を挙げているが、本発明はこれに限定されるものではない。強パワー部３０の仕様によっては、第１の傾斜部３１と第２の傾斜部３２と異なる長さに形成するようにしてもよい。
【００４９】
（第２実施形態）
次に、本発明の第２実施形態に係る端部構造について説明する。なお、第１実施形態と同一の説明は、省略する。図５は、本発明の第２実施形態に係る端部構造の強パワー部の配置を示す拡大図である。第２実施形態に係る端部構造１０Ｂが、第１実施形態に係る端部構造１０と違う点は、第１の傾斜部２１と第２の傾斜部２２との間に直線部２３が設けられている点、第１の傾斜部３１と第２の傾斜部３２との間に直線部３３が設けられている点である。
【００５０】
図５に示すように、第２実施形態に係る端部構造１０Ｂは、周方向に連続する地組織２０Ｂと、地組織２０Ｂよりも復元力が大きい強パワー部３０Ｂとを備えている。地組織２０Ｂ及び強パワー部３０Ｂは、上下方向において交互に配置されている。
【００５１】
強パワー部３０Ｂは、図示右方向へ向かうにつれて、上方（軸線方向Ｗの一方側）へ傾斜するように配置された第１の傾斜部３１と、第１の傾斜部３１から屈曲され図示左右方向に延在する直線部３３と、直線部３３から屈曲され、下方（軸線方向Ｗの他方側）へ傾斜するように配置された第２の傾斜部３２と、第２の傾斜部３２から屈曲され図示左右方向に延在する直線部３３と、を有する。
【００５２】
地組織２０Ｂは、図示右方向へ向かうにつれて、上方（軸線方向Ｗの一方側）へ傾斜するように配置された第１の傾斜部２１と、第１の傾斜部２１から屈曲され図示左右方向に延在する直線部２３と、直線部２３から屈曲され、下方（軸線方向Ｗの他方側）へ傾斜するように配置された第２の傾斜部２２と、第２の傾斜部２２から屈曲され図示左右方向に延在する直線部２３とから形成されている。
【００５３】
図６は、第２実施形態に係る端部構造１０Ｂの強パワー部３０Ｂの挿入組織を示す組織図である。強パワー部３０Ｂの挿入組織は、基本組織に複数の挿入糸４１Ｂを有する。直線部３３では、挿入糸４１Ｂは、例えば、３コース分挿入された後に、左右いずれかに１ウェール分移行する。強パワー部３０Ｂの挿入組織を編成する際の筬の動きは、１繰り返し単位が、／１１、００、１１、００  ／２２、１１、２２、１１  ／３３、２２、３３、２２  ／４４、３３、４４、３３／  〜  ／３３、４４、３３、４４  ／２２、３３、２２、３３  ／  １１、２２、１１、２２  ／００、１１、００、１１  ／  〜  ／／で表現することができる。なお、「  〜  」で示す部分は、直線部３３の挿入組織に相当する部分である。
【００５４】
このような第２実施形態に係る端部構造１０Ｂにおいても、適切な着圧を維持しつつ、着用者への食い込みを緩和することができ、衣類のずれを軽減することができる。
【００５５】
（第３実施形態）
次に、本発明の第３実施形態に係る端部構造について説明する。なお、上記の実施形態と同一の説明は、省略する。図７は、本発明の第３実施形態に係る端部構造の強パワー部及び高伸縮部の配置を示す拡大図である。第３実施形態に係る端部構造１０Ｃが、第１実施形態に係る端部構造１０と違う点は、第１の傾斜部２１と第２の傾斜部２２との間に湾曲部２４，２５が設けられている点、第１の傾斜部３１と第２の傾斜部３２との間に湾曲部３４，３５が設けられている点である。
【００５６】
図７に示すように、第３実施形態に係る端部構造１０Ｃは、周方向に連続する地組織２０Ｃ（第２の領域）と、地組織２０Ｃよりも復元力の大きい強パワー部３０Ｃとを備えている。地組織２０Ｃ及び強パワー部３０Ｃは、上下方向において交互に配置されている。
【００５７】
強パワー部３０Ｃは、図示右方向へ向かうにつれて、上方（軸線方向Ｗの一方側）へ傾斜するように配置された第１の傾斜部３１と、第１の傾斜部３１から屈曲され上へ凸である湾曲部３４と、湾曲部３４に連続し下方（軸線方向Ｗの他方側）へ傾斜するように配置された第２の傾斜部３２と、第２の傾斜部３２から屈曲され下へ凸である湾曲部３５と、を有する。
【００５８】
地組織２０Ｃは、図示右方向へ向かうにつれて、上方（軸線方向Ｗの一方側）へ傾斜するように配置された第１の傾斜部２１と、第１の傾斜部２１から屈曲され上へ凸である湾曲部２４と、湾曲部２４に連続し下方（軸線方向Ｗの他方側）へ傾斜するように配置された第２の傾斜部２２と、第２の傾斜部２２から屈曲され下へ凸である湾曲部２５とから形成されている。
【００５９】
このような第３実施形態に係る端部構造１０Ｃにおいても、適切な着圧を維持しつつ、着用者への食い込みを緩和することができ、衣類のずれを軽減することができる。
【００６０】
（第４実施形態）
次に、本発明の第４実施形態に係る端部構造について説明する。なお、上記の実施形態と同一の説明は、省略する。図８は、本発明の第４実施形態に係る端部構造の強パワー部及び高伸縮部の配置を示す拡大図である。第４実施形態に係る端部構造１０Ｄが、第１実施形態に係る端部構造１０と違う点は、上下方向に隣接する強パワー部３０Ｄ，３０Ｅ，３０Ｆ，３０Ｇの形状が異なる点である。
【００６１】
図８に示すように、第４実施形態に係る端部構造１０Ｄは、周方向に連続する地組織２０Ｄ，２０Ｅ，２０Ｆと、地組織２０Ｄ，２０Ｅ，２０Ｆよりも復元力に優れた強パワー部３０Ｄ，３０Ｅ，３０Ｆ，３０Ｇと、を備えている。強パワー部（３０Ｄ，３０Ｅ，３０Ｆ，３０Ｇ）、及び地組織（２０Ｄ，２０Ｅ，２０Ｆ）は、上下方向において交互に配置されている。
【００６２】
強パワー部３０Ｄは、図示右方向に向かうにつれて、上方（軸線方向Ｗの一方側）へ傾斜するように配置された第１の傾斜部３１Ｄと、下方（軸線方向Ｗの他方側）へ傾斜するように配置された第２の傾斜部３２Ｄと、を有する。
【００６３】
強パワー部３０Ｅは、図示右方向に向かうにつれて、上方（軸線方向Ｗの一方側）へ傾斜するように配置された第１の傾斜部３１Ｅと、下方（軸線方向Ｗの他方側）へ傾斜するように配置された第２の傾斜部３２Ｅと、第２の傾斜部３２Ｅから屈曲され図示左右方向に延在する直線部３３Ｅと、を有する。
【００６４】
強パワー部３０Ｆは、図示右方向に向かうにつれて、に進むにつれて、上方（軸線方向Ｗの一方側）へ傾斜するように配置された第１の傾斜部３１Ｆと、下方（軸線方向Ｗの他方側）へ傾斜するように配置された第２の傾斜部３２Ｆと、第２の傾斜部３２Ｆから屈曲され図示左右方向に延在する直線部３３Ｆと、を有する。
【００６５】
強パワー部３０Ｇは、図示右方向に向かうにつれて、に進むにつれて、上方（軸線方向Ｗの一方側）へ傾斜するように配置された第１の傾斜部３１Ｇと、下方（軸線方向Ｗの他方側）へ傾斜するように配置された第２の傾斜部３２Ｇと、第２の傾斜部３２Ｇから屈曲され図示左右方向に延在する直線部３３Ｇと、を有する。
【００６６】
なお、第１の傾斜部３１Ｄ，３１Ｅ，３１Ｆ，３１Ｇの傾斜角は、同じでもよく異なっていてもよい。第１の傾斜部３１Ｄ，３１Ｅ，３１Ｆ，３１Ｇの周方向における長さは、例えば、下へ順に短くなっている。直線部３３Ｅ，３３Ｆ，３３Ｇの周方向における長さは、下へ順に長くなっている。
【００６７】
第２の傾斜部３２Ｄ，３２Ｅ，３２Ｆ，３Ｇの傾斜角は、同じでもよく異なっていてもよい。第２の傾斜部３２Ｄ，３２Ｅ，３２Ｆ，３２Ｇの周方向における長さは、例えば、下へ順に短くなっている。
【００６８】
地組織２０Ｄは、強パワー部３０Ｄ，３０Ｅ間に配置され、上下方向に隣接する強パワー部３０Ｄ，３０Ｅに対応する形状となっている。地組織２０Ｅは、強パワー部３０Ｅ，３０Ｆ間に配置され、上下方向に隣接する強パワー部３０Ｅ，３０Ｆに対応する形状となっている。地組織２０Ｆは、強パワー部３０Ｆ，３０Ｇ間に配置され、上下方向に隣接する強パワー部３０Ｆ，３０Ｇに対応する形状となっている。
【００６９】
このような第４実施形態に係る端部構造１０Ｄにおいても、適切な着圧を維持しつつ、着用者への食い込みを緩和することができ、衣類のずれを軽減することができる。
【００７０】
（第５実施形態）
次に、本発明の第５実施形態に係るボトム衣類（ガードル）について説明する。なお、上記の実施形態と同一の説明は、省略する。図９は、本発明の第５実施形態に係るガードルを正面側から示す斜視図である。図１０は、本発明の第５実施形態に係るガードルを背面側から示す斜視図である。
【００７１】
図９及び図１０に示すガードル２１０（ボトム衣類）は、着用者の下半身を覆う本体身頃２１１を備えている。本体身頃２１１は、複数（例えば３枚）の生地が縫い合わされて形成されている。本体身頃２１１は、下半身の正面中央を覆う中央生地２１２と、下半身の脇部右側を覆う脇部生地２１３と、下半身の脇部左側を覆う脇部生地２１４とを備えている。脇部生地２１３，２１４は、下部側において筒状を成し、着用者の太腿を覆うように形成されている。
【００７２】
本体身頃２１１の上端部２１０ａは、伸びの良いゴム素材等によって形成されたウエスト始末である。上端部２１０ａの下側に上記の端部構造１０（食い込み軽減構造１１）が形成されている。端部構造１０は、着用者の胴回りに対応するウエスト部の一部を形成している。
【００７３】
端部構造１０は、中央生地２１２及び脇部２１３，２１４を構成する生地の上端側部分に形成されている。
【００７４】
このような構成のガードル２１０によれば、本体身頃２１１のウエスト始末近傍に端部構造１０が形成されているので、適切な着圧を維持しつつ、着用者への食い込みを抑制することができる。また、端部構造１０の強パワー部３０が、第１の傾斜部３１及び第２の傾斜部３２を備える構成であるため、上下方向への力を作用させることができ、ガードル２１０のずり上がり、及びずり下がりを防止することができる。
【００７５】
（第６実施形態）
次に、本発明の第６実施形態に係るカップ付き衣類について説明する。なお、上記の実施形態と同一の説明は、省略する。図１１は、本発明の第６実施形態に係るカップ付き衣類を示す斜視図である。本実施形態では、端部構造のカップ付き衣類への適用について説明する。
【００７６】
図１１に示すブラジャー３００（カップ付き衣類）は、左右一対のカップ部３０１、土台布３０２（カップ支持部）、バック布３０３（脇部）、及び肩ストラップ３０４を備える。なお、ブラジャー３００は、左右対称であるため、左右の一方のみについて説明する。
【００７７】
カップ部３０１は、着用者のバストを前面側から覆うものであり、バスト形状に対応させた椀形状となっている。カップ部３０１は、例えば不職布や発砲ポリウレタンといった一定の保形性及び弾力性を有する素材によって形成されている。カップ部３０１の下部にかけて、非伸縮性の土台布３０２が縫着され、カップ部３０１は、土台布３０２によって支持されている。さらに、土台布３０２の脇側には伸縮性のバック布３０３が縫着されている。また、カップ部３０１の脇側上端３０１ａには、肩ストラップ３０４が着脱可能に取り付けられている。土台布３０２とカップ部３０１の境目部分には、ワイヤーを内蔵したテープ部材３０１ｂが縫着されている。なお、テープ部材３０１ｂと土台布３０２は、カップ支持部に相当する。また、土台布３０２を設けない構成の場合には、テープ部材３０１ｂがカップ支持部に相当する。
【００７８】
バック布３０３は、カップ部３０１の下辺３０１ｂから連続して形成され、着用者の脇側から背側中央に向かって帯状に形成される。バック布３０３は、例えばパワーネットなどの伸縮性を有する素材によって形成されている。また、バック布３０３の背側の端部にはホック３０５が設けられており、左右のバック布３０３は、このホック３０５によって係脱自在に連結される。また、バック布３０３の背側上端には、肩ストラップ３０４が連結されている。なお、本実施形態では、バック布３０３は、カップ部３０１の脇側部分と土台布３０３のいずれにも連結されているが、いずれか一方にのみ連結するようにしてもよい。
【００７９】
肩ストラップ３０４は、カップ部３０１の脇側上部とバック布３０３とに各々接続され、カップ部３０１の上部とバック布３０３の背側とを結ぶように掛け渡されている。また、肩ストラップ３０４には、長さ調整具（不図示）が介設されており、着用者の体型に合わせた長さ調整が可能となっている。
【００８０】
ここで、本実施形態のブラジャー３００のバック布３０３は、上辺３０３ａ及び下辺３０３ｂに、上記の端部構造１０が配置されている。端部構造１０は、上辺３０３ａ及び下辺３０３ｂの長手方向に沿って、形成されている。
【００８１】
このように本実施形態のブラジャー３００は、バック布３０３の上辺３０３ａ及び下辺３０３ｂにおいて、長手方向に連続する強パワー部３０及び地組織２０を備え、強パワー部３０及び地組織２０が、長手方向に対して傾斜しているため、上辺３０３ａ及び下辺３０３ｂの異なる位置において、上方への力と下方への力をそれぞれ作用させることができる。これにより、着用者の肌に密着するバック布３０３のずれを抑制し、ブラジャー３００のずれを軽減することができる。
【００８２】
ブラジャー３００は、地組織２０及び強パワー部３０がバック布３０３の長手方向Ｌに対して傾斜して配置されているので、長手方向Ｌにおいて、締付力を発揮する地組織２０の隣に、地組織２０よりも復元力が相対的に大きい強パワー部３０が配置されることになる。これにより、着圧を緩和しつつ、上辺３０３ａ及び下辺３０３ｂの食い込みを軽減することができる。また、着崩れを抑制することができる。
【００８３】
なお、端部構造１０が、バック布３０３の上辺３０３ａまたは下辺３０３ｂのいずれか一方に配置されている構成でもよい。また、端部構造１０が、土台布３０２の下辺に配置されている構成でもよい。
【００８４】
また、端部構造１０が、上下方向において、上辺３０３ａから下辺３０３ｂまで、バック布３０３の全幅において形成されている構成でもよい。端部構造１０が、上辺３０３ａから幅方向の中央部までに配置されている構成でもよく、下辺３０３ｂから幅方向の中央部までに配置されている構成でもよい。
【００８５】
（第７実施形態）
次に、本発明の第７実施形態に係るウエストニッパー（衣類のウエスト部分の構造）について説明する。なお、上記の実施形態と同一の説明は、省略する。図１２は、本発明の第７実施形態に係るウエストニッパーの正面図である。ウエストニッパー４００は、腰部周辺の体型を補整する補整衣類である。本例のウエストニッパー４００は、バスト下方から腰部周辺までを覆うように身頃部４０１（身頃本体）が形成されている。
【００８６】
身頃部４０１は、胴回り方向（長手方向Ｌ）に第２の伸縮性で伸縮する地組織２０と、胴回り方向に第２の伸縮性よりも伸縮性が低い第１の伸縮性で伸縮する強パワー部３０とを備えている（図３参照）。
【００８７】
地組織２０及び強パワー部３０は、胴回り方向Ｌに連続し、開口部の軸線方向Ｗに離間して、複数設けられている。身頃部４０１は、地組織２０と、地組織２０内の複数の強パワー部３０とを備えている。すなわち、地組織２０及び強パワー部３０は、ウエストニッパー４００の上下方向において、交互に配置されている。強パワー部３０は、開口部を囲むように全周に渡って形成されている。なお、強パワー部３０は、開口部の全周（端部構造の全長）に渡って形成されているものに限定されず、開口部の周方向の一部に形成されているものでもよい。
【００８８】
強パワー部３０は、図示右方向へ（周方向Ｌの一方側へ）向かうにつれて、上方（軸線方向Ｗの一方側）へ傾斜するように配置された第１の傾斜部３１と、下方（軸線方向Ｗの他方側）へ傾斜するように配置された第２の傾斜部３２と、を有する（図３参照）。
【００８９】
地組織２０は、図示右方向へ（周方向Ｌの一方側へ）向かうにつれて、上方（軸線方向Ｗの一方側）へ傾斜するように配置された第１の傾斜部２１と、下方（軸線方向Ｗの他方側）へ傾斜するように配置された第２の傾斜部２２と、を有する。
【００９０】
本実施形態では、複数の強パワー部３０が、上下方向の全域に形成されている。なお、仕様によっては、身頃部４０１の上端側から中央部分にかけて、あるいは下端側から中央部分にかけて設けるようにしてもよい。また、ウエスト部分にだけ設けるようにしてもよい。
【００９１】
このようなウエストニッパー４００によれば、着用者の体型をスムージングしつつ、身頃部の食い込みを軽減することができる。
【００９２】
なお、本実施形態では、身頃部４０１全体に強パワー部３０が形成されている例を挙げているが、本発明はこれに限定されるものではない。例えば、補整衣類の仕様に応じて、身頃部４０１の一部にだけ食い込み軽減構造１１を設けるものとしてもよい。この場合にも、本実施形態と同様の効果を得ることができる。より具体的には着用状態で贅肉が盛り上がり易い、左右の両脇部分や、背中心から左右の両脇に至る部分、その他の部分にだけ強パワー部３０を設けるといったことが考えられる。この場合には、身頃部４０１の補整力によって押し出された贅肉をスムージングし、着用状態におけるシルエットをより滑らかな曲線状とすることができる。
【００９３】
また、本実施形態では、ウエストニッパーを例に挙げて説明したが、その他の補正機能を有する衣類、例えば、ガードル、ボデイスーツ等に適用することができる。
【００９４】
以上、本発明をその実施の形態に基づき具体的に説明したが、本発明は上記実施形態に限定されるものではない。例えば、上記のボトム衣類では、ウエスト側の上端部分２０ａに端部構造１０，１０Ｂ，１０Ｃ，１０Ｄが形成されているが、脚部を通すための裾部に本実施形態の端部構造１０，１０Ｂ，１０Ｃ，１０Ｄを採用してもよい。
【００９５】
また、本発明の衣類の端部構造は、ボトム衣類、カップ付き衣類、衣類のウエスト部分の構造、以外のその他の衣類の端部構造に適用してもよい。例えば、上半身衣類の裾部に本発明の端部構造を採用してもよい。
【００９６】
本実施形態の高伸縮部及び強パワー部の配置は、上記のものに限定されない。地組織と強パワー部との間に伸縮性の異なる他の伸縮部が形成されていてもよい。また、傾斜部の傾きは、位置に応じて異なる傾きでもよい。
【符号の説明】
【００９７】
１０，１０Ｂ，１０Ｃ，１０Ｄ…衣類の端部構造
２０，２０Ａ，２０Ｂ，２０Ｃ，２０Ｄ，２０Ｅ，２０Ｆ…地組織（本体部）
２０Ｘ…挿入組織
３０，３０Ｂ，３０Ｃ，３０Ｄ，３０Ｅ，３０Ｆ，３０Ｇ…強パワー部
３１…第１の傾斜部
３２…第２の傾斜部
３３，３３Ｅ，３３Ｆ，３３Ｇ…直線部
３４…湾曲部
３５…湾曲部
４１，４１Ｘ，４１Ｙ，４１Ｚ…挿入糸
１００…着用者
２００，２１０…ボトム衣類
２００ａ，２１０ａ…上端部分
２０１，２１１，２１２，２１３，２１４…本体生地
２１０…ガードル（ボトム衣類）
３００…ブラジャー（カップ付き衣類）
４００…ウエストニッパー（衣類のウエスト部分の構造）
４０１…身頃部
Ｌ…長手方向（周方向）
Ｗ…幅方向（軸方向）
【図１】
2013234398.tif 000003
【図２】
2013234398.tif 000004
【図３】
2013234398.tif 000005
【図４】
2013234398.tif 000006
【図５】
2013234398.tif 000007
【図６】
2013234398.tif 000008
【図７】
2013234398.tif 000009
【図８】
2013234398.tif 000010
【図９】
2013234398.tif 000011
【図１０】
2013234398.tif 000012
【図１１】
2013234398.tif 000013
【図１２】
2013234398.tif 000014
【図１３】
2013234398.tif 000015
【図１４】
2013234398.tif 000016